(57)【特許請求の範囲】
【請求項１】
ＰＴＴ系ネットワークとＰｏＣ系ネットワークとのお互いのネットワークのサーバ同士がプロトコル変換を行うことで、ＰＴＴ通信機能とＰｏＣ通信機能とを備えた端末間の通信を相互接続させる通信システムであって、
前記端末に、緊急呼が発生したネットワークに切り替えさせるコマンドを緊急呼が発生した側ではないネットワークから送ること、
を特徴とする通信システム。
【請求項２】
緊急呼が発生した側のネットワークに接続可能な前記端末で、緊急呼が発生した側のネットワークに接続していない前記端末を検出すること、
を特徴とする請求項１に記載の通信システム。
【発明の詳細な説明】
【技術分野】
【０００１】
本発明は、携帯電話機と無線機の両方の機能を備えたハイブリッド端末に関する。
【背景技術】
【０００２】
特許文献１には、携帯電話機におけるＰＴＴ機能の実現手法が開示されている。ＰＴＴ機能は、半二重無線機のような使い勝手をユーザに提供する機能である。すなわち、ユーザは電話番号などを入力することなく通話ボタンを押すだけで、他の複数のユーザに発呼し、発話することができる。他のユーザは、応答ボタンを押さなくてもそのユーザの携帯電話機から発話内容が音声出力される。携帯電話機におけるＰＴＴ機能は、無線機のＰＴＴ機能と区別してＰｏＣ(Ｐｕｓｈ−ｔｏ−Ｔａｌｋ 
ｏｖｅｒ Ｃｅｌｌｕｌａｒ)機能とも呼ばれる。
【０００３】
一方、携帯電話機と無線機の両方の機能を備えたハイブリッド端末が考えられる。ハイブリッド機では、ＬＴＥや３Ｇなどの携帯電話機の通信ネットワーク（以降、ＬＴＥ／３Ｇネットワークとする）におけるＰｏＣ機能と、無線機の通信ネットワーク（以降、ＬＭＲネットワークとする）におけるＰＴＴ機能の双方を目的によって使い分けることができる。例えば、高速通信を行いたい場合にはＰｏＣ機能を使い、より離れた場所での通信を行いたい場合にはＰＴＴ機能を使えば良い。
【先行技術文献】
【特許文献】
【０００４】
【特許文献１】特表２００２−５３６９２８号公報
【発明の概要】
【発明が解決しようとする課題】
【０００５】
ハイブリッド機の活用を考えた場合、ＰＴＴ系システムとＰｏＣ系システムとを、お互いのネットワークのサーバ同士がプロトコル変換を行うことで相互接続させる通信システムが考えられる。このような通信システムにおいて、ハイブリッド端末がＰＴＴ機能とＰｏＣ機能のいずれか一方の機能で発信した場合、自端末が発信した信号を他方の機能で受信する可能性がある。
【０００６】
本発明では、ＰＴＴ系システムとＰｏＣ系システムで情報が相互変換される通信システムにおいて、自端末で発信した送信情報を受信処理することによる問題を解消できるハイブリッド端末を提供することを目的とする。
【課題を解決するための手段】
【０００７】
本発明は上記課題を解決するため、ＰＴＴ系ネットワークとＰｏＣ系ネットワークとのお互いのネットワークのサーバ同士がプロトコル変換を行うことで、ＰＴＴ通信機能とＰｏＣ通信機能とを備えた端末間の通信を相互接続させる通信システムであって、前記端末に、緊急呼が発生したネットワークに切り替えさせるコマンドを緊急呼が発生した側ではないネットワークから送ること、を特徴とする通信システムを提供する。
【発明の効果】
【０００８】
本発明によれば、ＰＴＴ系システムとＰｏＣ系システムで情報が相互変換される通信システムにおいて、自端末で発信した送信情報を受信処理することによる問題を解消できるハイブリッド端末を提供することができる。
【図面の簡単な説明】
【０００９】
【図１】ハイブリッド端末の構成例を示す。
【図２】ハイブリッド端末を含む通信システムの構成を示す。
【図３】ハイブリッド端末を含む通信システムの別の構成を示す。
【図４】ハイブリッド端末を含む通信システムの別の構成を示す。
【発明を実施するための形態】
【００１０】
以下、本発明に係るハイブリッド端末の一実施形態ついて、添付図面を参照して説明する。
【００１１】
図１にハイブリッド端末の構成例を示す。
【００１２】
ハイブリッド端末１００は、アプリケーション処理部１１０、ＬＴＥ／３Ｇモジュール１２０、ＬＭＲモジュール１３０を含む。アプリケーション処理部１１０は、信号処理及び装置全体の制御を行うアプリケーションモジュール１１１、操作入力部と表示部を兼ねたタッチスクリーンディスプレイ１１２、カメラ１１３、スピーカ１１４、マイク１１５を含む。図示しないＧＰＳ機能を実行するユニットや、ブルートゥース等の近距離無線機能を実行するユニットを含んでも良い。
【００１３】
アプリケーション処理部１１０は、各種アプリケーションを実行する。例えば、音声信号の送受信の場合、マイク１１５から入力された音声信号を符号化してＬＴＥ／３Ｇモジュール１２０またはＬＭＲモジュール１３０に送る。また、ＬＴＥ／３Ｇモジュール１２０またはＬＭＲモジュール１３０から入力した信号を復号化し、スピーカ１１４から出力する。
【００１４】
ＬＴＥ／３Ｇモジュール１２０は、アンテナ１２１を介してＬＴＥ／３Ｇネットワークに接続し、アプリケーションモジュール１１０から受け取った信号の発信を行なうと共に、ＬＴＥ／３Ｇネットワークから受け取った信号をアプリケーションモジュール１１０に受け渡す。ＬＭＲモジュール１３０は、アンテナ１３１を介してＬＭＲネットワークに接続し、アプリケーションモジュール１１０から受け取った信号の発信を行なうと共に、ＬＭＲネットワークから受け取った信号をアプリケーションモジュール１１０に受け渡す。
【００１５】
以下、音声信号発信および受信時の動作を説明する。ユーザは、タッチスクリーンディスプレイ１１２により、ＰｏＣ機能で発信するかＰＴＴ機能で発信するかを選択する。ＰｏＣ機能が選択された場合、アプリケーションモジュール１１１はマイク１１５に入力された音声信号をＬＴＥ／３Ｇモジュール１２０経由で発信する。ＰＴＴ機能が選択された場合、アプリケーションモジュール１１１はマイク１１５に入力された音声信号をＬＭＲモジュール１３０経由で発信する。
【００１６】
ＰｏＣ機能またはＰＴＴ機能で発信している場合、発信に使用していない方のモジュールを使って受信することができる。即ち、ＰｏＣ機能を使って発信している場合、ＬＭＲモジュール１３０を使って、ＰＴＴ系システムから音声信号を受け取ることができる。同様に、ＰＴＴ機能を使って発信している場合、ＬＴＥ／３Ｇモジュール１２０を使って、ＰｏＣ系システムから音声信号を受け取ることができる。
【００１７】
発信を行っていない場合、ＬＴＥ／３Ｇモジュール１２０とＬＭＲモジュール１３０の両方を受信待ち状態にしても良いし、いずれか一方を選択して受信待ち状態としても良い。
【００１８】
更に図２および図３を使って、本発明のハイブリッド端末１００（１００ａ、１００ｂ）を含む通信システムの構成を説明する。
【００１９】
無線機２００ａ、２００ｂは、ＬＭＲ無線基地局４０１に接続される。無線機２００ａ、２００ｂは、ＬＭＲネットワーク４０２(インターネットでもよい)を介してＬＭＲ側のサーバ(以降、ＬＭＲサーバとする)４０３との間で情報を送受信する。
【００２０】
携帯電話機３００ａ、３００ｂは、ＬＴＥ／３Ｇ無線基地局４１１に接続される。携帯電話機３００ａ、３００ｂは、ＬＴＥ／３Ｇネットワーク４１２(インターネットでもよい)を介してＬＴＥ／３Ｇ側のサーバ(以降、ＬＴＥ／３Ｇサーバとする)４１３との間で情報を送受信する。
【００２１】
ハイブリッド端末１００ａ、１００ｂは、ＬＭＲ無線基地局４０１およびＬＴＥ／３Ｇ無線基地局４１１に接続される。ハイブリッド端末１００ａ、１００ｂは、ＬＭＲネットワーク４０２を介してＬＭＲサーバ４０３との間で情報を送受信し、ＬＴＥ／３Ｇ固有のネットワーク４１２を介してＬＴＥ／３Ｇ側サーバ４１３との間で情報を送受信する。
【００２２】
ハイブリッド端末１００ａ、１００ｂは送信を行う際に、送信情報に自端末を識別するための情報(以後、端末ＩＤ情報とする)を付加する。ここで、この端末ＩＤ情報は、送信操作を行う毎に、送信情報本体よりも前に付加、もしくは送信するように構成すると良い。これにより、受信する際に送信情報本体が到来する前にどの端末からの情報であるかを確認できるようになる。
【００２３】
ＬＭＲサーバ４０３とＬＴＥ／３Ｇサーバ４１３との間では、異なるシステム間で情報の授受を可能とするように所定の変換を授受される情報に対して行う。ここで、端末ＩＤ情報に関する部分に対しては、少なくともハイブリッド端末が認識できる形式で情報の変換が行われると良い。例えば、ＬＴＥ／３Ｇサーバ４１３では、ハイブリッド端末１００ａ、１００ｂが送信した情報の前に付加されている端末ＩＤ情報に対して、内部の基本情報は変換を加えずに、ＬＭＲ側のサーバ４０３が解釈できる形式に変換できると良い。
【００２４】
＜第１実施形態＞
図２で、ハイブリッド端末１００ａがＰｏＣ動作による情報の送信を行なった場合の動作を説明する。ハイブリッド端末１００ａは、ＰｏＣ動作による情報の送信を行なう際、送信する情報の前に端末ＩＤ情報を付加する。送信された端末ＩＤ情報および情報本体は、ＬＴＥ／３Ｇ無線基地局４１１、およびＬＴＥ／３Ｇ固有のネットワーク４１２を介してＬＴＥ／３Ｇサーバ４１３に供給される。
【００２５】
ＬＴＥ／３Ｇサーバ４１３は、取得した情報をＰｏＣ系の形式からＰＴＴ系の形式に変換し、ＬＭＲサーバ４０３に供給する。ここで、ＰＴＴ系の形式に変換する際に、情報本体の前に付加される端末ＩＤ情報の内容には変換を加えずに、伝送形式のみを変換すると良い。ＬＭＲサーバ４０３は、ＰＴＴ系で解釈できるように変換された情報を取得し、ＬＭＲネットワーク４０２、およびＬＭＲ無線基地局４０１を介して、情報をマルチキャストする。
【００２６】
このようにしてＬＭＲ無線基地局４０３から送信された情報は、接続されている無線機２００ａ、２００ｂおよび、ハイブリッド端末１００ｂにおいて受信される。
【００２７】
ここで、ＰｏＣ系に情報を送信したハイブリッド端末１００ａでも、ＬＭＲ無線基地局４０１から送信された情報を受信することは可能である。しかし、送信した情報がハイブリッド端末１００ａのマイク１１５から取り込んだ音声情報であった場合、受信した情報をハイブリッド端末１００ａのスピーカー１１４から再生すると、ハウリングなどの悪影響を与える可能性がある。
【００２８】
よって、情報を送信したハイブリッド端末１００ａは、情報本体の前に付加された端末ＩＤ情報を認識し、自端末の端末ＩＤ情報と同一の端末ＩＤ情報であるかを比較する。同一の端末ＩＤ情報である場合には、その後の情報を受信しない、もしくは受信後の処理を行わないようにする。ここでは、受信は行うものの、情報が音声情報である場合にはスピーカ１１４からの再生を禁止する。
【００２９】
また、ここではＬＭＲ側の接続を切断するということも考えられる。この場合、送信中にＬＭＲ側で緊急通信が発生した場合に受信することができなくなってしまう。
【００３０】
以上の説明では、ハイブリッド端末１００ａが、送信する情報の前に端末ＩＤ情を付加したが、ＬＴＥ／３Ｇサーバ４１３がハイブリッド端末１００ａ、１００ｂを個別に識別できる場合には、各ハイブリッド端末１００ａ、１００ｂが端末ＩＤ情報を送信するのではなく、ＬＴＥ／３Ｇサーバ４１３が端末ＩＤを付加するようにしても良い。ただし、ＬＴＥ／３Ｇサーバ４１３が付加する端末ＩＤ情報は、該当するハイブリッド端末自身が識別できる端末ＩＤ情報であるようにする。
＜第２実施形態＞
図３は、図２と同じシステム構成において、ハイブリッド端末１００ａがＰＴＴ動作による情報の送信を行う場合を示す。
【００３１】
ハイブリッド端末１００ａは、ＰｏＣ動作による情報の送信を行なう際、送信する情報の前に端末ＩＤ情報を付加する。送信された端末ＩＤ情報および情報本体は、ＬＭＲ無線基地局４０１、およびＬＭＲネットワーク４０２を介してＬＭＲサーバ４０３に供給される。
【００３２】
ＬＭＲサーバ４０３は、取得した情報をＰＴＴ系の形式からＰｏＣ系の形式に変換し、ＬＴＥ／３Ｇサーバ４１３に供給する。ここで、ＰｏＣ系の形式に変換する際に、情報本体の前に付加される端末ＩＤ情報の内容には変換を加えずに、伝送形式のみを変換すると良い。
【００３３】
ＬＴＥ／３Ｇサーバ４１３は、ＰｏＣ系で解釈できるように変換された情報を取得し、ＬＴＥ／３Ｇネットワーク４１２、およびＬＴＥ／３Ｇ無線基地局４１１を介して、情報をマルチキャストする。
【００３４】
このようにしてＬＴＥ／３Ｇ無線基地局４１３から送信された情報は、接続されている携帯電話機３００ａ、３００ｂおよび、ハイブリッド端末１００ｂにおいて受信される。
【００３５】
ここで、ＰＴＴ系に情報を送信したハイブリッド端末１００ａでも、ＬＴＥ／３Ｇ無線基地局４１１から送信された情報を受信することは可能である。しかし、送信した情報がハイブリッド端末１００ａのマイク１１５から取り込んだ音声情報であった場合、受信した情報をハイブリッド端末１００ａのスピーカー１１４から再生すると、ハウリングなどの悪影響を与える可能性がある。
【００３６】
よって、情報を送信したハイブリッド端末１００ａは、情報本体の前に付加された端末ＩＤ情報を認識し、自端末の端末ＩＤ情報と同一の端末ＩＤ情報であるかを比較する。同一の端末ＩＤ情報である場合には、その後の情報を受信しない、もしくは受信後の処理を行わないようにする。ここでは、受信は行うものの、情報が音声情報である場合にはスピーカー１１４からの再生を禁止する。
【００３７】
また、ここではＬＴＥ／３Ｇ側の接続を切断するということも考えられる。この場合、送信中にＬＴＥ／３Ｇ側で緊急通信が発生した場合に受信することができなくなってしまう。
【００３８】
以上の説明では、ハイブリッド端末１００ａが、送信する情報の前に端末ＩＤ情を付加したが、ＬＭＲサーバ４０３がハイブリッド端末１００ａ、１００ｂを個別に識別できる場合には、各ハイブリッド端末１００ａ、１００ｂが端末ＩＤ情報を送信するのではなく、ＬＭＲサーバ４０３が端末ＩＤを付加するようにしても良い。ただし、ＬＭＲサーバ４０３が付加する端末ＩＤ情報は、該当するハイブリッド端末自身が識別できる端末ＩＤ情報であるようにする。
＜第３実施形態＞
第３実施形態では、第１実施形態と同様のシステム構成において、ハイブリッド端末１００ａ、１００ｂが、ＬＴＥ／３Ｇモジュール１２０またはＬＭＲモジュール１３０のいずれか一方での受信待ちとなっている状態を想定する。図４ではハイブリッド端末１００ａがＬＭＲモジュール１３０での待ち受け状態にあり、ハイブリッド端末１００ｂがＬＴＥ／３Ｇモジュール１２０での待ち受け状態になっている。
【００３９】
この状態で、ＬＴＥ／３Ｇネットワーク４１２内でエマージェンシー情報が発信された時、ハイブリッド端末１００ｂはＬＴＥ／３Ｇ無線基地局４１１から直接エマージェンシー信号を受信できるが、ハイブリッド端末１００ａはＬＴＥ／３Ｇ無線基地局４１１から直接エマージェンシー信号を受信することができない。
【００４０】
実施形態１で説明したように、ＬＴＥ／３Ｇサーバ４１３が取得した情報をＰｏＣ系の形式からＰＴＴ系の形式に変換し、ＬＭＲサーバ４０３に供給することにより、ハイブリッド端末１００ａはＬＭＲ無線基地局４０１から情報を受けることができる。しかし、例えばエマージェンシー情報が画像データを含むような容量の大きなデータで送られていた場合、ＬＭＲネットワーク４０２では伝送に多くの時間がかかり、情報を送りきれなくなる可能性がある。
【００４１】
このような不具合を避けるため、ＬＴＥ／３Ｇサーバ４１３は、エマージェンシー情報を受け取ると、ＬＭＲサーバ４０３に対し、現在ＬＴＥ／３Ｇ基地局４１１に接続していないでＬＭＲ基地局４０１に接続されているハイブリッド端末の中で、ＬＴＥ／３Ｇ基地局４１１に接続可能なハイブリッド端末を検出し、ＬＴＥ／３Ｇ基地局４１１に接続させるよう指示する。ハイブリッド端末１００ａはＬＭＲ基地局経由で受け取った指示に従ってＬＭＲモジュール１３０での待ち受け状態からＬＴＥ／３Ｇモジュールでの待ち受け状態に切換えることで、ＬＴＥ／３Ｇ基地局４１１から直接エマージェンシー情報を受け取ることができる。
【００４２】
実施形態３では、ハイブリッド端末１００ａがＬＭＲモジュール１３０での待ち受け状態にある状態で、ＬＴＥ／３Ｇネットワーク４１２内でエマージェンシー情報が発信された時にハイブリッド端末１００ａをＬＴＥ／３Ｇモジュール１２０の待ち受け状態に切り換える例を説明したが、ハイブリッド端末１００ｂがＬＴＥ／３Ｇモジュール１２０での待ち受け状態にある状態で、ＬＭＲネットワーク４０２内でエマージェンシー情報が発信された時にハイブリッド端末１００ｂをＬＭＲモジュール１３０の待ち受け状態に切り換える構成としても良い。
【符号の説明】
【００４３】
１００，１００ａ，１００ｂ  ハイブリッド端末、  
１１０  アプリケーション処理部、１１１  アプリケーションモジュール、
１１２  タッチスクリーンディスプレイ、１１３  カメラ、
１１４  スピーカ、１１５  マイク、１２０  ＬＴＥ／３Ｇモジュール、
１３０  ＬＭＲ  モジュール、２００ａ，２００ｂ  無線機、
３００ａ，３００ｂ  携帯電話機、
４０１  ＬＭＲ無線基地局、４０２  ＬＭＲ固有のネットワーク４０２、
４０３  ＬＭＲサーバ、
４１１  ＬＴＥ／３Ｇ無線基地局、４１２  ＬＴＥ／３Ｇ固有のネットワーク
４１３  ＬＴＥ／３Ｇサーバ
【図１】
0006319377.tif 000002
【図２】
0006319377.tif 000003
【図３】
0006319377.tif 000004
【図４】
0006319377.tif 000005